(57)【要約】【課題】エネルギーを一つのキャパシタＣｓに貯蔵することで、製造コストを減少させることができるプラズマディスプレイ装置を提供する。【解決手段】本発明は、第１電極及び第２電極を含むプラズマディスプレイパネルと、前記第１電極にエネルギーを供給し、前記第１電極から前記エネルギーを回収するための第１経路を形成する第１経路形成部と、前記第２電極に前記エネルギーを供給し、前記第２電極から前記エネルギーを回収するための第２経路を形成する第２経路形成部と、供給または回収された前記エネルギーを貯蔵するキャパシタとを備える。【選択図】図１
2007004184.tif 000002
【特許請求の範囲】
【請求項１】
第１電極及び第２電極を含むプラズマディスプレイパネルと、
前記第１電極にエネルギーを供給し、前記第１電極から前記エネルギーを回収するための第１経路を形成する第１経路形成部と、
前記第２電極に前記エネルギーを供給し、前記第２電極から前記エネルギーを回収するための第２経路を形成する第２経路形成部と、
供給または回収された前記エネルギーを貯蔵するキャパシタと
を備えたことを特徴とするプラズマディスプレイ装置。
【請求項２】
前記第１電極に第１電圧または第１基準電圧を供給する第１電圧供給部と、
前記第２電極に第２電圧または第２基準電圧を供給する第２電圧供給部と
をさらに備えたことを特徴とする請求項１に記載のプラズマディスプレイ装置。
【請求項３】
前記第１電圧の大きさは、前記第２電圧の大きさと実質的に同一であることを特徴とする、請求項２に記載のプラズマディスプレイ装置。
【請求項４】
前記第１基準電圧及び前記第２基準電圧は、実質的にグランドレベルの電圧と同一であることを特徴とする請求項２に記載のプラズマディスプレイ装置。
【請求項５】
前記第１経路形成部は、互いに直列接続された第１スイッチ及び第１インダクタを備え、
前記第２経路形成部は、互いに直列接続された第２スイッチ及び第２インダクタを備えることを特徴とする、請求項１に記載のプラズマディスプレイ装置。
【請求項６】
前記第１スイッチは前記キャパシタと前記第１インダクタとの間に接続され、前記第２スイッチは前記キャパシタと前記第２インダクタとの間に接続されることを特徴とする、請求項５に記載のプラズマディスプレイ装置。
【請求項７】
第１電極及び第２電極を含むプラズマディスプレイパネルと、
前記第１電極または前記第２電極にエネルギーを供給し、前記第１電極または前記第２電極から前記エネルギーを回収するエネルギー回収／供給部と、
前記第１電極の電圧を第１電圧または第１基準電圧に維持する第１電圧供給部と、
前記第２電極の電圧を第２電圧または第２基準電圧に維持する第２電圧供給部と
を備えたことを特徴とするプラズマディスプレイ装置。
【請求項８】
前記エネルギー回収／供給部は、
前記エネルギーを貯蔵するキャパシタと、
前記第１電極に前記エネルギーを供給または回収するために、前記キャパシタと前記第１電圧供給部との間に直列接続された第１スイッチ及び第１インダクタと、
前記第２電極に前記エネルギーを供給または回収するために、前記エネルギー貯蔵部と第２電圧供給部との間に互いに直列接続された第２スイッチ及び第２インダクタと
を備えたことを特徴とする請求項７に記載のプラズマディスプレイ装置。
【請求項９】
前記第１スイッチは、前記キャパシタと前記第１インダクタとの間に接続され、
前記第２スイッチは、前記キャパシタと前記第２インダクタとの間に接続されることを特徴とする、請求項８に記載のプラズマディスプレイ装置。
【請求項１０】
前記第１電圧の大きさは、前記第２電圧の大きさと実質的に同一であることを特徴とする、請求項７に記載のプラズマディスプレイ装置。
【請求項１１】
前記第１基準電圧及び前記第２基準電圧は、実質的にグランドレベルの電圧と同一であることを特徴とする、請求項７に記載のプラズマディスプレイ装置。
【請求項１２】
エネルギーを貯蔵するキャパシタ、第１電極及び第２電極を含むプラズマディスプレイ装置の駆動方法において、
第１経路を介して前記キャパシタから前記第１電極にエネルギーを供給する段階と、
前記第１経路を介して前記第１電極から前記キャパシタに前記エネルギーを回収する段階と、
第２経路を介して前記キャパシタから前記第２電極に前記エネルギーを供給する段階と、
前記第２経路を介して前記第２電極から前記キャパシタに前記エネルギーを回収する段階と
を含むことを特徴とするプラズマディスプレイ装置の駆動方法。
【請求項１３】
前記エネルギーを前記第１電極に供給した後に前記第１電極の電圧を第１電圧に維持し、前記エネルギーを前記第２電極に供給した後に前記第２電極の電圧を第２電圧に維持することを特徴とする、請求項１２に記載のプラズマディスプレイ装置の駆動方法。
【請求項１４】
前記第１電圧の大きさは、前記第２電圧の大きさと実質的に同一であるを特徴とする、請求項１３に記載のプラズマディスプレイ装置の駆動方法。
【請求項１５】
前記エネルギーを前記第１電極から回収した後に前記第１電極の電圧を第１基準電圧に維持し、前記エネルギーを前記第２電極から回収した後に前記第２電極の電圧を第２基準電圧に維持することを特徴とする、請求項１２に記載のプラズマディスプレイ装置の駆動方法。
【請求項１６】
前記第１基準電圧及び前記第２基準電圧は、実質的にグランドレベルの電圧と同一であることを特徴とする、請求項１５に記載のプラズマディスプレイ装置。
【発明の詳細な説明】
【技術分野】
【０００１】
本発明は、プラズマディスプレイ装置に関する。
【背景技術】
【０００２】
一般に、プラズマディスプレイ装置は、複数の電極が形成されたプラズマディスプレイパネルと、プラズマディスプレイパネルの電極を駆動させるための駆動部とを含む。
【０００３】
プラズマディスプレイ装置とは、プラズマディスプレイパネルを介して映像をディスプレイする装置である。プラズマディスプレイパネル（ｐｌａｓｍａ Ｄｉｓｐｌａｙ Ｐａｎｅｌ）の各セル内には、ネオン（Ｎｅ）、ヘリウム（Ｈｅ）またはネオン及びヘリウムの混合気体（Ｎｅ＋Ｈｅ）のような主放電気体と少量のキセノンを含有する不活性ガスが充填される。プラズマディスプレイパネルの電極に高周波電圧が供給されると、セル内に充填された不活性ガスは真空紫外線（Ｖａｃｕｕｍ Ｕｌｔｒａｖｉｏｌｅｔ ｒａｙｓ）を発生させ、隔壁の間に形成された蛍光体が発光されて画像が具現される
【０００４】
プラズマディスプレイ装置の駆動部は、プラズマディスプレイパネルの電極に駆動信号を供給する。駆動信号の供給によって、プラズマディスプレイパネルの放電セル内でリセット放電、アドレス放電、サステイン放電などが生じる。放電セル内で放電が起きると、放電セル内に充填されている放電ガスは真空紫外線を発生させる。真空紫外線は放電セル内に形成された蛍光体を発光させることで、映像が具現される。
【０００５】
プラズマディスプレイ装置の駆動部は、サステイン放電を起こすために、電極にサステイン信号を供給する。プラズマディスプレイ装置の駆動部は、サステイン信号を供給するために、エネルギー回収回路を含む。
【発明の開示】
【発明が解決しようとする課題】
【０００６】
本発明は、上記事情に鑑みてなされたものであって、その目的とするところは、エネルギーを一つのキャパシタＣｓに貯蔵することで、製造コストを低減させることができるプラズマディスプレイ装置を提供することにある。
【０００７】
また、本発明のさらに他の目的は、エネルギーを一つのキャパシタＣｓに貯蔵し、エネルギーの供給または回収される経路を同一にすることで、スキャン電極Ｙを介したエネルギー回収効率と、サステイン電極Ｚを介したエネルギー回収効率とが互いに異なることを防止できるプラズマディスプレイ装置を提供することにある。
【課題を解決するための手段】
【０００８】
本発明の実施形態に係るプラズマディスプレイ装置は、第１電極及び第２電極を含むプラズマディスプレイパネルと、前記第１電極にエネルギーを供給し、前記第１電極から前記エネルギーを回収するための第１経路を形成する第１経路形成部と、前記第２電極に前記エネルギーを供給し、前記第２電極から前記エネルギーを回収するための第２経路を形成する第２経路形成部と、供給または回収された前記エネルギーを貯蔵するキャパシタとを備える。
【０００９】
前記第１電極に第１電圧または第１基準電圧を供給する第１電圧供給部と、前記第２電極に第２電圧または第２基準電圧を供給する第２電圧供給部とをさらに備えることができる。
【００１０】
前記第１電圧の大きさは、前記第２電圧の大きさと実質的に同一であることができる。
【００１１】
前記第１基準電圧及び前記第２基準電圧は、実質的にグランドレベルの電圧と同一であることができる。
【００１２】
前記第１経路形成部は互いに直列接続された第１スイッチ及び第１インダクタを備え、前記第２経路形成部は互いに直列接続された第２スイッチ及び第２インダクタを備えることができる。
【００１３】
前記第１スイッチは前記キャパシタと前記第１インダクタとの間に接続され、前記第２スイッチは前記キャパシタと前記第２インダクタとの間に接続されることができる。
【００１４】
本発明の実施形態に係るプラズマディスプレイ装置は、第１電極及び第２電極を含むプラズマディスプレイパネルと、前記第１電極または前記第２電極にエネルギーを供給し、前記第１電極または前記第２電極から前記エネルギーを回収するエネルギー回収／供給部と、前記第１電極の電圧を第１電圧または第１基準電圧に維持する第１電圧供給部と、前記第２電極の電圧を第２電圧または第２基準電圧に維持する第２電圧供給部とを備える。
【００１５】
前記エネルギー回収／供給部は、前記エネルギーを貯蔵するキャパシタと、前記第１電極に前記エネルギーを供給または回収するために、前記キャパシタと前記第１電圧供給部との間に直列接続されたた第１スイッチ及び第１インダクタと、前記第２電極に前記エネルギーを供給または回収するために、前記エネルギー貯蔵部と第２電圧供給部と間に互いに直列接続された第２スイッチ及び第２インダクタとを備えることができる。
【００１６】
前記第１スイッチは、前記キャパシタと前記第１インダクタとの間に接続され、前記第２スイッチは前記キャパシタと前記第２インダクタとの間に接続されることができる。
【００１７】
前記第１電圧の大きさは、前記第２電圧の大きさと実質的に同一であることができる。
【００１８】
前記第１基準電圧及び前記第２基準電圧は、実質的にグランドレベルの電圧と同一であることができる。
【００１９】
本発明の実施形態に係るプラズマディスプレイ装置の駆動方法は、第１経路を介して前記キャパシタから前記第１電極にエネルギーを供給する段階と、前記第１経路を介して前記第１電極から前記キャパシタに前記エネルギーを回収する段階と、第２経路を介して前記キャパシタから前記第２電極に前記エネルギーを供給する段階と、前記第２経路を介して前記第２電極から前記キャパシタに前記エネルギーを回収する段階とを含むことを特徴とする。
【００２０】
前記エネルギーを前記第１電極に供給した後に前記第１電極の電圧を第１電圧に維持し、前記エネルギーを前記第２電極に供給した後に前記第２電極の電圧を第２電圧に維持することができる。
【００２１】
前記第１電圧の大きさは、前記第２電圧の大きさと実質的に同一であることができる。
【００２２】
前記エネルギーを前記第１電極から回収した後に前記第１電極の電圧を第１基準電圧に維持し、前記エネルギーを前記第２電極から回収した後に前記第２電極の電圧を第２基準電圧に維持することができる。
【００２３】
前記第１基準電圧及び前記第２基準電圧は、実質的にグランドレベルの電圧と同一であることができる。
【発明の効果】
【００２４】
本発明のプラズマディスプレイ装置によれば、第１スイッチＳＷ１及び第１インダクタＬ１を含む第１経路を介してエネルギーを供給または回収し、第２スイッチＳＷ２及び第２インダクタＬ２を含む第２経路を介してエネルギーを供給または回収することができる。また、エネルギーが一つのキャパシタＣｓに貯蔵されることによって、製造コストを低減できるという効果を奏する。さらに、本発明は、エネルギーを一つのキャパシタＣｓに貯蔵し、エネルギーが供給される経路と、回収される経路とを同一にすることで、スキャン電極Ｙを介したエネルギー回収効率と、サステイン電極Ｚを介したエネルギー回収効率とが異なることを防止できる。
【発明を実施するための最良の形態】
【００２５】
以下、図１乃至図１１を参照して、本発明の好適な実施形態について説明する。
【００２６】
図１は、本発明の実施形態に係るプラズマディスプレイ装置を示す図である。図２は、本発明の実施形態に係るプラズマディスプレイ装置の駆動信号を示す波形図である。
【００２７】
図１に示すように、本発明の実施形態に係るプラズマディスプレイ装置は、プラズマディスプレイパネルＰ、スキャン／サステイン駆動部１１０、及びアドレス駆動部１２０を含む。
【００２８】
プラズマディスプレイパネルＰは、スキャン電極Ｙ１〜Ｙｎ、サステイン電極Ｚ及びアドレス電極Ｘ１〜Ｘｍを含む。
【００２９】
スキャン／サステイン駆動部１１０は、最初のサブフィールド１ＳＦのプリリセット期間に充分な壁電荷を形成するために、次第に下降する図２のプリリセット信号ＰＲＰをスキャン電極Ｙに供給する。スキャン／サステイン駆動部１１０は、放電セルの壁電荷状態を初期化するための図２のリセット信号ＲＰ、放電セルを選択するためのスキャン信号ＳＰ及び選択された放電セルのサステイン放電のためのサステイン信号ＳＵＳをスキャン電極Ｙに供給する。スキャン／サステイン駆動部１１０は、それぞれのサブフィールドで互いに異なる電圧大きさを有するリセット信号ＲＰをスキャン電極Ｙに供給できる。すなわち、最初のサブフィールド１ＳＦで充分な壁電荷が形成されるため、最初のサブフィールド以降のサブフィールド２ＳＦ〜１０ＳＦで供給されるリセット信号の最大電圧大きさは、最初のサブフィールド１ＳＦで供給されたリセット信号の最大電圧大きさよりも小さくなり得る。
【００３０】
スキャン／サステイン駆動部１１０は、プリリセット信号ＰＲＰに対応して正極性電圧Ｖｃをサステイン電極Ｚに供給し、バイアス電圧Ｖｂｉａｓをサステイン電極Ｚに供給し、選択された放電セルをサステイン放電するためのサステイン信号ＳＵＳ（サステイン電圧Ｖｓ）をサステイン電極Ｚに供給する。
【００３１】
アドレス駆動部１２０は、放電セルを選択するためにスキャン信号ＳＰに対応してデータ信号ＤＰをアドレス電極Ｘ１〜Ｘｍに供給する。
【００３２】
スキャン／サステイン駆動部１１０は、スキャン電極Ｙ１〜Ｙｎ及びサステイン電極Ｚにサステイン信号を供給するためにエネルギー回収回路を含む。
【００３３】
図３は、本発明の実施形態に係るプラズマディスプレイ装置のエネルギー回収回路を示す図である。図３に示すように、本発明の実施形態に係るプラズマディスプレイ装置のエネルギー回収回路は、エネルギー回収／供給部３１０、第１電圧供給部３２０、及び第２電圧供給部３３０を含む。
【００３４】
エネルギー回収／供給部３１０は、プラズマディスプレイパネルＣｐのスキャン電極Ｙまたはサステイン電極Ｚにエネルギーを供給し、スキャン電極Ｙまたはサステイン電極Ｚからエネルギーを回収する。エネルギー回収／供給部３１０は、キャパシタＣｓ、第１経路形成部３１１、及び第２経路形成部３１３を含む。キャパシタＣｓは、スキャン電極Ｙまたはサステイン電極Ｚに供給されるか、スキャン電極Ｙまたはサステイン電極Ｚから回収されるエネルギーを貯蔵する。
第１経路形成部３１１は、スキャン電極Ｙにエネルギーを供給し、スキャン電極Ｙからエネルギーを回収するための第１経路を形成する。第１経路形成部３１１は、互いに直列接続された第１スイッチＳＷ１及び第１インダクタＬ１を含む。第１スイッチＳＷ１の一端はキャパシタＣｓの一端と接続され、第１スイッチＳＷ１の他端は第１インダクタＬ１の一端と接続される。第１インダクタＬ１は、第１経路を介したエネルギーの回収または供給時にＬＣ共振を形成する。第１インダクタＬ１の他端はスキャン電極Ｙと接続される。
第２経路形成部３１３は、サステイン電極Ｚにエネルギーを供給するか、または回収するための第２経路を形成する。第２経路形成部３１３は、互いに直列接続された第２スイッチＳＷ２と第２インダクタＬ２を含む。第２スイッチＳＷ２の一端はキャパシタＣｓの一端と接続され、第２スイッチＳＷ２の他端は第２インダクタＬ２の一端と接続される。第２インダクタＬ２は、第２経路を介したエネルギーの回収または供給時にＬＣ共振を形成する。第２インダクタＬ２の他端は、サステイン電極Ｚと接続される。
【００３５】
第１電圧供給部３２０は、スキャン電極Ｙの電圧を第１電圧Ｖｓ１または第１基準電圧に維持する。第１電圧供給部３２０は、エネルギーが第１経路を介してキャパシタＣｓからスキャン電極Ｙに供給された後に第１電圧Ｖｓ１をスキャン電極Ｙに供給し、エネルギーが第１経路を介してスキャン電極ＹからキャパシタＣｓに回収された後に第１基準電圧をスキャン電極Ｙに供給する。第１電圧Ｖｓ１は、放電セルでサステイン放電を起こすための電圧であり得る。第１基準電圧は実質的にグランドレベルの電圧と同一である。第１電圧供給部３２０は第１電圧Ｖｓ１及び第１基準電圧を供給するための第３スイッチＳＷ３と第４スイッチＳＷ４を含む。第３スイッチＳＷ３は、第１電圧源Ｖｓ１とスキャン電極とを導通または遮断させて、スキャン電極に第１電圧Ｖｓ１を供給する。第４スイッチＳＷ４は、第１基準電圧源ＧＮＤとスキャン電極とを導通または遮断させて、スキャン電極に第１基準電圧を供給する。
【００３６】
第２電圧供給部３３０は、サステイン電極Ｚの電圧を第２電圧Ｖｓ２または第２基準電圧に維持する。第２電圧供給部３３０は、エネルギーが第２経路を介してキャパシタＣｓからサステイン電極Ｚに供給された後に第２電圧Ｖｓ２をサステイン電極Ｚに供給し、エネルギーが第２経路を介してサステイン電極ＺからキャパシタＣｓに回収された後に第２基準電圧をサステイン電極Ｚに供給する。第２電圧Ｖｓ２は放電セルでサステイン放電を起こすための電圧であり得る。第２基準電圧はグランドレベルの電圧と実質的に同一である。第２電圧供給部３３０は、第２電圧Ｖｓ２及び第２基準電圧を供給するための第５スイッチＳＷ５と第６スイッチＳＷ６を含む。第５スイッチＳＷ５は、第２電圧源Ｖｓ２とサステイン電極とを導通または遮断させて、サステイン電極に第２電圧Ｖｓ２を供給する。第６スイッチＳＷ６は、第２基準電圧源ＧＮＤとサステイン電極とを導通または遮断させて、サステイン電極に第２基準電圧を供給する。
【００３７】
第１電圧Ｖｓ１の大きさは、第２電圧Ｖｓ２の大きさと実質的に同一であり得る。キャパシタＣｓは、第１電圧Ｖｓ１または第２電圧Ｖｓ２の１／２に該当するエネルギーを貯蔵する。
【００３８】
図４は、本発明の実施形態に係るプラズマディスプレイ装置のエネルギー回収回路のスイッチタイミング図である。図５乃至図１１は、本発明の実施形態に係るプラズマディスプレイ装置のエネルギー回収回路の電流パスを示す図である。
以下の説明では、ｔ１時点より前に、キャパシタＣｓはＶｓ１／２（例えば、Ｖｓ／２）に充電されているとする。
【００３９】
図４乃至図１２を参照すれば、t１時点においては、タイミングコントローラ（図示せず）から供給されるハイ状態の第４スイッチ制御信号及び第６スイッチ制御信号に応じて第４スイッチＳＷ４及び第６スイッチＳＷ６がターンオンされる。これにより、図５に示すように、第４スイッチＳＷ４、スキャン電極Ｙ、サステイン電極Ｚ及び第６スイッチＳＷ６を含む電流パスが形成される。第１基準電圧及び第２基準電圧がスキャン電極Ｙ及びサステイン電極Ｚに供給される。
このとき、図４に示すように、スキャン電極Ｙの電圧は第１基準電圧（グランドレベルＧＮＤ）に維持され、サステイン電極Ｚの電圧は第２基準電圧（グランドレベルＧＮＤ）に維持される。  
【００４０】
t２時点においては、タイミングコントローラ（図示せず）から供給されるロー状態の第４スイッチ制御信号に応じて第４スイッチＳＷ４がターンオフされる。また、t２時点では、タイミングコントローラ（図示せず）から供給されるハイ状態の第１スイッチ制御信号及び第６スイッチ制御信号に応じて第６スイッチＳＷ６は以前のオン状態を維持し、第１スイッチＳＷ１がターンオンされる。これにより、図６に示すように、キャパシタＣｓ、第１スイッチＳＷ１、第１インダクタＬ１、スキャン電極Ｙ、サステイン電極Ｚ、及び第６スイッチＳＷ６を含む電流パスが形成される。これにより、キャパシタＣｓに貯蔵されたエネルギーが第１経路を介してプラズマディスプレイパネルのスキャン電極Ｙに供給される。キャパシタＣｓと、第１インダクタＬ１と、プラズマディスプレイパネルの等価キャパシタＣｐとは直列共振回路を形成する。
このとき、図４に示すように、スキャン電極Ｙの電圧は、第１基準電圧（グランドレベルＧＮＤ）から第１電圧Ｖｓ１（例えば、サステイン電圧Ｖｓ）まで直列共振により上昇する。
【００４１】
t３時点においては、タイミングコントローラ（図示せず）から供給されるロー状態の第１スイッチ制御信号に応じて第１スイッチＳＷ１がターンオフされる。また、t３時点では、タイミングコントローラ（図示せず）から供給されるハイ状態の第３スイッチ制御信号及び第６スイッチ制御信号に応じて第６スイッチＳＷ６は以前のオン状態を維持し、第３スイッチＳＷ３がターンオンされる。これにより、図７に示すように、第３スイッチＳＷ３、スキャン電極Ｙ及び第６スイッチＳＷ６を含む電流パスが形成される。第１電圧Ｖｓ１はスキャン電極Ｙに供給され、第２基準電圧はサステイン電極Ｚに供給される。
このとき、図４に示すように、スキャン電極Ｙの電圧は第１電圧Ｖｓ１（例えば、Ｖｓ）に維持される。
【００４２】
ｔ４時点においては、タイミングコントローラ（図示せず）から供給されるロー状態の第３スイッチ制御信号に応じて第３スイッチＳＷ３がターンオフされる。また、t４時点では、タイミングコントローラ（図示せず）から供給されるハイ状態の第１スイッチ制御信号及び第６スイッチ制御信号に応じて第６スイッチＳＷ６は以前のオン状態を維持し、第１スイッチＳＷ１がターンオンされる。これにより、図８に示すように、第６スイッチＳＷ６、サステイン電極Ｚ、スキャン電極Ｙ、第１インダクタＬ１及び第１スイッチＳＷ１及びキャパシタＣｓを含む電流パスが形成される。これにより、エネルギーがキャパシタＣｓに回収される。第１インダクタＬ１は直列共振を形成するので、キャパシタＣｓは第１電圧Ｖｓ１の１／２に該当するエネルギーを貯蔵する。
このとき、図４に示すように、スキャン電極Ｙの電圧は、第１電圧Ｖｓ１（例えば、Ｖｓ）から第１基準電圧（例えば、ＧＮＤ）まで直列共振により下降する。
【００４３】
t５時点においては、タイミングコントローラ（図示せず）から供給されるロー状態の第１スイッチ制御信号に応じて第１スイッチＳＷ１がターンオフされる。また、t５時点ではタイミングコントローラ（図示せず）から供給されるハイ状態の第４スイッチ制御信号及び第６スイッチ制御信号に応じて第６スイッチＳＷ６は以前のオン状態を維持し、第４スイッチＳＷ４がターンオンされる。これにより、図５に示すように、第４スイッチＳＷ４、スキャン電極Ｙ、サステイン電極Ｚ及び第６スイッチＳＷ６を含む電流パスが形成される。第１基準電圧及び第２基準電圧がスキャン電極Ｙ及びサステイン電極Ｚに供給される。
このとき、図４に示すように、スキャン電極Ｙの電圧は第１基準電圧（例えば、ＧＮＤ）に維持され、サステイン電極Ｚの電圧は第２基準電圧（例えば、ＧＮＤ）に維持される。
【００４４】
t６時点においては、タイミングコントローラ（図示せず）から供給されるロー状態の第６スイッチ制御信号に応じて第６スイッチＳＷ６がターンオフされる。また、t６時点ではタイミングコントローラ（図示せず）から供給されるハイ状態の第２スイッチ制御信号及び第４スイッチ制御信号に応じて第４スイッチＳＷ４はオン状態を維持し、第２スイッチＳＷ２がターンオンされる。これにより、図９に示すように、キャパシタＣｓ、第２スイッチＳＷ２、第２インダクタＬ２、サステイン電極Ｚ、スキャン電極Ｙ、及び第４スイッチＳＷ４を含む電流パスが形成される。キャパシタＣｓに貯蔵されたエネルギーがサステイン電極Ｚに供給される。第２インダクタＬ２とプラズマディスプレイパネルＣｐの等価キャパシタは直列共振回路を形成するので、キャパシタＣｓに蓄積されたＶｓ１／２（例えば、Ｖｓ／２）により、サステイン電極Ｚが第１電圧Ｖｓ１（例えば、Ｖｓ）まで充電される。
このとき、図４のサステイン電極Ｚの電圧は、第２基準電圧（例えば、ＧＮＤ）から第２電圧Ｖｓ２（例えば、Ｖｓ）まで直列共振により上昇する。
【００４５】
t７時点においては、タイミングコントローラ（図示せず）から供給されるロー状態の第２スイッチ制御信号に応じて第２スイッチＳＷ２がターンオフされる。また、t７時点ではタイミングコントローラ（図示せず）から供給されるハイ状態の第４スイッチ制御信号及び第５スイッチ制御信号に応じて第４スイッチＳＷ４はオン状態を維持し、第５スイッチＳＷ５がターンオンされる。これにより、図１０に示すように、第５スイッチＳＷ５、サステイン電極Ｚ、スキャン電極Ｙ及び第４スイッチＳＷ４を含む電流パスが形成される。これにより、第２電圧Ｖｓ２がサステイン電極Ｚに供給される。
このとき、図４に示すように、サステイン電極Ｚの電圧は、第２電圧Ｖｓ２（例えば、Ｖｓ）に維持される。
【００４６】
t８時点においては、タイミングコントローラ（図示せず）から供給されるロー状態の第５スイッチ制御信号に応じて第５スイッチＳＷ５がターンオフされる。また、t８時点ではタイミングコントローラ（図示せず）から供給されるハイ状態の第２スイッチ制御信号及び第４スイッチ制御信号に応じて第４スイッチＳＷ４はオン状態を維持し、第２スイッチＳＷ２がターンオンされる。これにより、図１１に示すように、第４スイッチＳＷ４、スキャン電極Ｙ、サステイン電極Ｚ、第２インダクタＬ２、第２スイッチＳＷ２及びキャパシタＣｓを含む電流パスが形成される。これにより、プラズマディスプレイパネルＣｐに供給されたエネルギーがキャパシタＣｓに回収される。第２インダクタＬ２は直列共振回路を形成するので、第２電圧Ｖｓの１／２に該当するエネルギーが回収される。
このとき、図４に示すように、サステイン電極Ｚの電圧は、第２電圧Ｖｓ２（例えば、Ｖｓ）から第２基準電圧（例えば、ＧＮＤ）に直列共振により下降する。
【００４７】
上記では、第１基準電圧及び第２基準電圧を共にグランドレベルの電圧ＧＮＤとし、第１電圧Ｖｓ１及び第２電圧Ｖｓ２を共にサステイン電圧Ｖｓとすることが可能である。サステイン電圧Ｖｓは、サステイン期間にスキャン電極及びサステイン電極に印加するサステインパルスのピーク値である。
但し、本発明は、第１基準電圧及び第２基準電圧が一致する場合、第１電圧Ｖｓ１及び第２電圧Ｖｓ２が一致する場合以外にも適用可能である。また、第１電圧Ｖｓ１及び第２電圧Ｖｓ２は、サステイン電圧Ｖｓ以外の電圧にすることも可能である。
以上、添付図面を参照して本発明の好適な実施形態を説明したが、本発明はかかる実施形態に限定されるものではなく、特許請求の範囲の記載から把握される技術的範囲において種々の実施形態に変更可能である。
【図面の簡単な説明】
【００４８】
【図１】本発明の実施形態に係るプラズマディスプレイ装置を示す図である。
【図２】本発明の実施形態に係るプラズマディスプレイ装置の駆動信号を示す波形図である。
【図３】本発明の実施形態に係るプラズマディスプレイ装置のエネルギー回収回路を示す図である。
【図４】本発明の実施形態に係るプラズマディスプレイ装置のエネルギー回収回路のスイッチタイミング図である。
【図５】本発明の実施形態に係るプラズマディスプレイ装置のエネルギー回収回路の電流パスを示す図である。
【図６】本発明の実施形態に係るプラズマディスプレイ装置のエネルギー回収回路の電流パスを示す図である。
【図７】本発明の実施形態に係るプラズマディスプレイ装置のエネルギー回収回路の電流パスを示す図である。
【図８】本発明の実施形態に係るプラズマディスプレイ装置のエネルギー回収回路の電流パスを示す図である。
【図９】本発明の実施形態に係るプラズマディスプレイ装置のエネルギー回収回路の電流パスを示す図である。
【図１０】本発明の実施形態に係るプラズマディスプレイ装置のエネルギー回収回路の電流パスを示す図である。
【図１１】本発明の実施形態に係るプラズマディスプレイ装置のエネルギー回収回路の電流パスを示す図である。
【図１】
2007004184.tif 000003
【図２】
2007004184.tif 000004
【図３】
2007004184.tif 000005
【図４】
2007004184.tif 000006
【図５】
2007004184.tif 000007
【図６】
2007004184.tif 000008
【図７】
2007004184.tif 000009
【図８】
2007004184.tif 000010
【図９】
2007004184.tif 000011
【図１０】
2007004184.tif 000012
【図１１】
2007004184.tif 000013